(57)【要約】【課題】コストを抑えながらデジタルミキサにおける操作性を向上させる。【解決手段】操作パネル上１００に、表示器１０とカーソル操作子４０と増減操作子５０と、対応付けた入力ｃｈのパラメータを制御するための複数のｃｈストリップ７１〜７ｎとを有し、各ｃｈストリップに選択スイッチ７１ｃを有するデジタルミキサにおいて、増減操作子５０に入力ｃｈのパラメータのうちいずれか１つのパラメータを割り当てるための割当スイッチ９０を設け、増減操作子５０の操作を検出した場合に、選択スイッチ７０ｃが操作されていない場合には、カーソルの位置に表示されているパラメータの値を増減操作子５０の操作に対応して変化させる一方、操作されていた場合には、その選択スイッチ７０ｃを有するｃｈストリップと対応した入力ｃｈのパラメータのうち、増減操作子５０に割り当てられているパラメータの値を変化させる手段を設ける。【選択図】        図１
2004289413.tif 000002
【特許請求の範囲】
【請求項１】
操作パネル上に、表示器とカーソル操作子と増減操作子と、対応付けた入力チャンネルのパラメータを制御するための複数のチャンネルストリップを有し、該チャンネルストリップはそれぞれレベル制御操作子と選択スイッチとを有するデジタルミキサであって、
前記表示器に表示する表示画面を選択する画面選択手段と、
前記チャンネルストリップの前記レベル制御操作子の操作を検出し、操作のあったチャンネルストリップに対応する入力チャンネルについての入力信号レベルを制御するレベル制御手段と、
前記チャンネルストリップの前記選択スイッチの操作を検出し、操作のあったチャンネルストリップに対応する入力チャンネルのパラメータを前記表示画面上において編集可能状態にするチャンネル選択手段と、
前記増減操作子に前記入力チャンネルのパラメータのうちいずれか１つのパラメータを割り当てる割当手段と、
前記カーソル操作子の操作を検出し、前記表示画面におけるカーソルの位置を制御するカーソル制御手段と、
前記増減操作子の操作を検出し、該操作が検出された場合にいずれかのチャンネルストリップの前記選択スイッチが操作されていたか否かを判断し、いずれも操作されていないと判断した場合には、前記カーソルの位置に表示されているパラメータの値を前記増減操作子の操作に対応して変化させる一方、操作されていたと判断した場合には、その選択スイッチを有するチャンネルストリップと対応した入力チャンネルのパラメータのうち、前記割当手段によって前記増減操作子に割り当てられているパラメータの値を前記増減操作子の操作に対応して変化させるパラメータ増減手段とを設けたことを特徴とするデジタルミキサ。
【請求項２】
請求項１記載のデジタルミキサであって、
前記増減操作子は、ロータリーエンコーダ、および／または、増加スイッチと減少スイッチであることを特徴とするデジタルミキサ。
【発明の詳細な説明】
【０００１】
【発明の属する技術分野】
この発明は、楽音信号の処理を行うデジタルミキサに関し、特に、操作性に特徴を有するデジタルミキサに関する。
【０００２】
【従来の技術】
楽音信号の処理を行うデジタルミキサは、一般的に、多数の入力チャンネル（ｃｈ）や出力ｃｈを有する。そして、その各々について、リミッタ、コンプレッサ、イコライザ、フェーダ、パン、結線状態、オン等の多数のパラメータを設定可能であり、逆に言えば、望み通りの動作を行わせるためには、これらの多数のパラメータを設定する必要がある。
このような設定を行うための操作パネルとしては、例えば図１２に示すものが用いられていた。ここで、この操作パネル２００及びこのような操作パネル２００を用いたパラメータの設定処理について説明する。
【０００３】
この操作パネル２００は、表示器１０を備え、ここに表示する表示画面を参照しながら種々の操作子を操作することにより、パラメータの変更を指示し、パラメータを編集するためのものである。
このための操作子としては、画面選択スイッチ２０，タブ切り換えスイッチ３０，カーソル操作子４０，増減操作子５０，エンタスイッチ６０を設けている。
表示器１０に表示される表示画面には、選択された１つの入力ｃｈの一部のパラメータを編集する入力ｃｈ設定画面、選択された１つの出力ｃｈの一部のパラメータを編集する出力ｃｈ設定画面、１つのパラメータについて複数入力ｃｈ分の編集をまとめて行うパラメータ設定画面、入力パッチや出力パッチの設定画面等があるが、画面選択スイッチ２０はこれらの表示画面を切り換えるためのスイッチである。また、入力ｃｈ設定画面に表示するパラメータの種類を変える場合等は、タブ切り換えスイッチ３０によって行うようにしている。
【０００４】
また、カーソル操作子４０は、上記の表示画面中に表示されるカーソルを操作するための操作子である。そして、増減操作子５０は、表示画面中でそのカーソルの位置に表示されているパラメータを増減させるための操作子である。増減操作子５０はロータリーエンコーダ５１および、増加スイッチ５２と減少スイッチ５３で構成されるが、どちらを用いても増減を指示することができる。そして、増減設定後、エンタスイッチ６０を押下することにより、その変更後の値を有効にすることができる。ただし、連続的に変更可能なパラメータについては、増減指示の度に変更後の値を有効にする。
パラメータの編集は、まず、これらの各操作子によって逐次変更したいパラメータを選択して変更を指示することにより行うことができる。
【０００５】
また、これ以外にも、個別のパラメータを設定するための操作子として、ｎ個（ｎは任意）のｃｈストリップ７１〜７ｎからなるｃｈ操作子７０を備えている。この各ｃｈストリップ７１〜７ｎには、それぞれ１つの入力ｃｈ又は出力ｃｈを対応させることができ、そのチャンネルについてのパラメータを設定する操作子として機能する。
そして、各ｃｈストリップ７１〜７ｎは、出力レベルの設定を行うための電動フェーダ７１ａ〜７ｎａ，オンオフの設定を行うためのオンスイッチ７１ｂ〜７ｎｂ，後述する機能を有する選択スイッチ７１ｃ〜７ｎｃを備え（以下、スイッチの種類を示す場合にはそれぞれ７０ａ，７０ｂ，７０ｃの符号を用いる）、これらの操作子によって対応するパラメータを直接設定することができる。コストやスペースの面で問題ない場合には、さらに他のパラメータに対応した操作子やロータリーエンコーダを設ける場合もある。
【０００６】
さらに、操作パネル２００は、選択ｃｈ操作スイッチ群８０を備えている。選択ｃｈ操作スイッチ群８０は、いくつかのパラメータに対応したロータリーエンコーダ及びスイッチによって構成される。そして、上述したｃｈ操作子７０中の選択スイッチ７０ｃを押下することによって、その選択スイッチを備えるｃｈストリップ７ｎに対応するチャンネルを選択ｃｈ操作スイッチ群８０に割り当てることができ、選択ｃｈ操作スイッチ群８０を構成するロータリーエンコーダ及びスイッチを、そのチャンネルについての対応するパラメータを設定するための操作子として使用することができる。
【０００７】
以上の各操作子を設けた操作パネル２００を用いることにより、デジタルミキサを動作させるために必要な多数のパラメータを設定することができる。特に、選択ｃｈ操作スイッチ群８０の操作子を用いると、設定したいパラメータを、カーソルを動かすことなく変更することができるので、操作性が高い。
このような操作パネル２００に関連した技術について、本件出願人は以前に特許出願を行っている（特願２００１−２８９５０９）。
また、関連する分野の技術文献としては、特許文献１が知られている。
【０００８】
【特許文献１】
特開２００２−１４２２８６号公報
【０００９】
【発明が解決しようとする課題】
しかしながら、上述した操作パネル２００において、選択ｃｈ操作スイッチ群８０のスイッチを設けるとコスト高になるため、安価な低位モデルにおいては十分な数を設けることができなかったり、場合によっては全く設けることができなかったりする。そして、高価な上位モデルにおいても、全てのパラメータについてのスイッチを設けることは困難である。
従って、選択ｃｈ操作スイッチ群８０に対応するスイッチのないパラメータについては、画面選択スイッチ２０，タブ切り換えスイッチ３０，カーソル操作子４０といった画面制御操作子を操作して表示器１０にそのパラメータの設定画面を表示させ、カーソルをそのパラメータに合わせてから値を変更しなければならなかった。従って、値の変更までに多数の操作が必要であり、操作性が悪いという問題があった。
【００１０】
選択ｃｈ操作スイッチ群８０の各スイッチに対応するパラメータを切り換え可能にすればこの問題は改善されるが、選択ｃｈ操作スイッチ群８０は特定のパラメータの設定のために設けたスイッチ群であり、これらのスイッチに関しては機能は固定しておいた方が使い勝手がよいという要求もある。
また、ｃｈストリップ毎にロータリーエンコーダを設けることも考えられるが、これはさらにコスト高になるし、各１つ設けるだけでは１度に１つのパラメータしか割り当てられず、あまり上記の問題の解決にはならない。
この発明は、このような問題を解決し、コストを抑えながらデジタルミキサにおける操作性を向上させることを目的とする。
【００１１】
【課題を解決するための手段】
上記の目的を達成するため、この発明は、操作パネル上に、表示器とカーソル操作子と増減操作子と、対応付けた入力チャンネルのパラメータを制御するための複数のチャンネルストリップを有し、そのチャンネルストリップはそれぞれレベル制御操作子と選択スイッチとを有するデジタルミキサにおいて、上記表示器に表示する表示画面を選択する画面選択手段と、上記チャンネルストリップの上記レベル制御操作子の操作を検出し、操作のあったチャンネルストリップに対応する入力チャンネルについての入力信号レベルを制御するレベル制御手段と、上記チャンネルストリップの上記選択スイッチの操作を検出し、操作のあったチャンネルストリップに対応する入力チャンネルのパラメータを上記表示画面上において編集可能状態にするチャンネル選択手段と、上記増減操作子に上記入力チャンネルのパラメータのうちいずれか１つのパラメータを割り当てる割当手段と、上記カーソル操作子の操作を検出し、上記表示画面におけるカーソルの位置を制御するカーソル制御手段と、上記増減操作子の操作を検出し、その操作が検出された場合にいずれかのチャンネルストリップの上記選択スイッチが操作されていたか否かを判断し、いずれも操作されていないと判断した場合には、上記カーソルの位置に表示されているパラメータの値を上記増減操作子の操作に対応して変化させる一方、操作されていたと判断した場合には、その選択スイッチを有するチャンネルストリップと対応した入力チャンネルのパラメータのうち、上記割当手段によって上記増減操作子に割り当てられているパラメータの値を上記増減操作子の操作に対応して変化させるパラメータ増減手段とを設けたものである。
このようなデジタルミキサにおいて、上記増減操作子を、ロータリーエンコーダ、および／または、増加スイッチと減少スイッチとするとよい。
【００１２】
【発明の実施の形態】
以下、この発明の好ましい実施の形態を図面を参照して説明する。
まず、この発明のデジタルミキサの実施形態の構成について、図２及び図３を用いて説明する。図２は、そのデジタルミキサの概略構成を示すブロック図、図３は図２に示したＤＳＰの構成をより詳細に示すブロック図である。
このデジタルミキサ（以下単に「ミキサ」ともいう）は、入力される音響信号に対して設定データに従ってミキシング，イコライジング等の種々の処理を行って出力する音響信号処理装置であり、図２に示すように、表示器１０，電動フェーダ７０ａ，操作子１１３，外部機器インタフェース（Ｉ／Ｆ）１１４，ＣＰＵ１１５，フラッシュメモリ１１６，ＲＡＭ１１７，音響信号入出力部１１８，信号処理部（ＤＳＰ：デジタル・シグナル・プロセッサ）１１９を備え、これらがシステムバス１２０によって接続されている。
【００１３】
表示器１０は、液晶ディスプレイ（ＬＣＤ）等によって構成される表示手段であり、このミキサの設定の参照，変更，保存等を行うための画面や装置の動作状態等を表示するためのものである。
電動フェーダ７０ａ及び操作子１１３は、このミキサの操作パネル１００上に設けられ、ユーザが音響信号の処理におけるパラメータを設定するためのものである。このうち電動フェーダ７０ａはモータを有し、ＣＰＵ１１５からの指示によっても指定された位置に移動させることができるものである。
外部機器Ｉ／Ｆ１１４は、このミキサと接続するパーソナルコンピュータ等の外部機器と情報の授受を行うためのインタフェースである。
【００１４】
ＣＰＵ１１５は、このミキサ全体の動作を統括制御する制御部であり、フラッシュメモリ１１６に記憶された所定のプログラムを実行することにより、電動フェーダ７０ａや操作子１１３の操作を検出してその操作に従った動作を実行したり、設定データに従ってＤＳＰ１１９の動作，表示器１０の表示内容，電動フェーダ７０ａの位置等を制御したりする。
フラッシュメモリ１１６は、ＣＰＵ１１５が実行する制御プログラム等を記憶する書き換え可能な不揮発性記憶手段である。
ＲＡＭ１１７は、ミキサの設定データ等の一時的に必要なデータを記憶させたり、ＣＰＵ１１５のワークメモリとして使用したりする記憶手段である。
音響信号入出力部１１８は、ＤＳＰ１１９で処理すべき音響信号の入力を受け付け、また処理後の音響信号を出力するためのインタフェースである。そして、この音響信号入出力部１１８には、Ａ／Ｄ変換ボード，Ｄ／Ａ変換ボード，デジタル入出力ボードを適宜組み合わせて複数枚装着可能であり、実際にはこれらのボードを介して信号の入出力を行う。
【００１５】
ＤＳＰ１１９の実行するミキシング処理は、図３に示すように、内蔵エフェクタ１２３，入力パッチ１２５，入力ｃｈ１４０，ミキシングバス１２７，ミキシング出力ｃｈ１５０，出力パッチ１３０を備えている。アナログ入力１２１，デジタル入力１２２，アナログ出力１３１，デジタル出力１３２は、音響信号入出力部１１８に装着する上述したボードによる入出力ｃｈを示す。
内蔵エフェクタ１２３は、入力する信号に対し、選択されたエフェクトを付与して出力する複数ブロックのエフェクタである。そのｃｈ構成は、モノラル，ステレオ等で切り換え可能となっている。
入力パッチ１２５は、アナログ入力１２１とデジタル入力１２２の各入力及び内蔵エフェクタ１２３から入力される信号を、４８ｃｈある入力ｃｈ１４０に割り振るための任意結線を行うものである。その設定は、ユーザが所定の画面を見ながら行うことができ、入力ｃｈ１４０の各ｃｈには、入力パッチ１２５で割り振られた入力信号が入力する。
【００１６】
ここで、入力ｃｈ１４０の各ｃｈは、図示は省略するが、デエンファシス，ハイパスフィルタ，４バンドパラメトリックイコライザ（ＰＥＱ），ノイズゲート，コンプレッサ，ディレイ，フェーダ，オン，パン，センドレベル調整，ミュート等の機能を備えている。これらの要素は、回路によって実現しても、演算処理によって実現してもよい。
入力ｃｈ１４０では、これらの要素によって入力した信号に対して所定の処理を行い、処理後の信号を、１６系統あるミキシングバス１２７のうち、設定データによって出力先として設定されたミキシングバスに出力する。このとき、１つの入力ｃｈ１４０から複数のミキシングバス１２７に出力を行うこともできるし、複数の入力ｃｈ１４０から１つのミキシングバス１２７に出力を行うこともできる。
【００１７】
ミキシングバス１２７に入力した信号は、対応するミキシング出力ｃｈ１５０に出力されるが、この際、複数の入力ｃｈ１４０から信号が入力するミキシングバス１２７においては、これらの信号に対してミキシング処理を行う。
ミキシング出力ｃｈ１５０は、ミキシングバス１２７と１対１で対応するように１６ｃｈ設けられている。そして、その各ｃｈは、図示は省略するが、６バンドＰＥＱ，コンプレッサ，ディレイ，フェーダを備えている。
ミキシング出力ｃｈ１５０では、これらの要素によって入力した信号に対して所定の処理を行い、処理後の信号を出力パッチ１３０へ出力する。
【００１８】
出力パッチ１３０は、ミキシング出力ｃｈ１５０から入力する信号を、アナログ出力１３１とデジタル出力１３２の各出力及び内蔵エフェクタ１２３に割り振る任意結線を行うものである。この設定も、ユーザが所定の画面を見ながら行うことができ、１つの出力ｃｈからの信号を複数の出力部に割り振ることも可能である。アナログ出力１３１又はデジタル出力１３２に割り振られた信号はここから出力され、内蔵エフェクタ１２３に割り振られた信号は、ここでの処理の後、再度入力パッチ１２５に入力する。
【００１９】
図２に示したＤＳＰ１１９は、以上の構成によって、入力される音響信号に対してミキシングやイコライジング等の処理を行う。また、入力ｃｈ１４０やミキシング出力ｃｈ１５０から選択した信号を混合してモニタ用出力に出力することもできる。
なお、図３において、図面の簡単化のため、コンソール側の入力及びトークバックインなどの入力、コンソール側の出力及びキューアウトなどの出力、インサートエフェクトのための結線、並びに、モニタ出力のための結線などは図示を省略している。
【００２０】
次に、このデジタルミキサの操作パネルの構成について、図１を用いて説明する。図１は、そのデジタルミキサの操作パネルの概略構成を示す図である。
この操作パネル１００は、図１２に示した従来の操作パネル２００とほぼ同様な構成を有する。具体的には、割当スイッチ９０を新たに設けた点以外は、従来の操作パネル２００と同じである。従って、重複する説明は省略する。
なお、従来の技術の項で説明した、操作子の操作による表示やパラメータの変更に係る処理は、全てＣＰＵ１１５が操作子の操作を検出してその内容に応じた処理を行うことによって実現されるものである。例えば、画面選択スイッチ２０及びタブ切り換えスイッチ３０の操作によって表示器に表示する画面を選択する場合には、ＣＰＵ１１５がこれに合わせた表示処理を行い、これらのスイッチ及びＣＰＵ１１５が画面選択手段として機能する。
【００２１】
また、電動フェーダ７０ａはレベル操作子であり、この電動フェーダ７０ａが操作された場合には、ＣＰＵ１１５がこれを検出して、操作のあったｃｈストリップに対応する入力ｃｈについての入力信号レベルを操作に応じて変更して制御する。この場合において、ＣＰＵ１１５がレベル制御手段として機能する。
カーソル操作子４０の操作に従って表示器１０の表示画面におけるカーソルの位置を移動させる場合には、ＣＰＵ１１５がカーソル制御手段として機能する。
表示器１０に入力ｃｈ設定画面が表示されている場合には、あるｃｈストリップ７ｎの選択スイッチ７０ｃを操作すると、そのｃｈストリップ７ｎに割り当てられている入力ｃｈのパラメータが表示され、その入力ｃｈのパラメータが入力ｃｈ設定画面における編集対象となる。この場合、ＣＰＵ１１５がチャンネル選択手段として機能する。
表示器１０にパラメータ設定画面が表示されている場合にあるｃｈストリップ７ｎの選択スイッチ７０ｃを操作すると、表示中の画面のカーソルがその選択スイッチ７０ｃと対応するｃｈストリップ７ｎに割り当てられている入力ｃｈのパラメータへ移動し、そのパラメータが増減操作子５０によって変更可能になる。
【００２２】
これらの画面の表示例を示す。図４はパラメータ設定画面の表示例を示す図、図５は入力ｃｈ設定画面の表示例を示す図、図６は割込表示部の表示例を示す図である。
図４に示すパラメータ設定画面は、１つのパラメータについて複数入力ｃｈ分の編集をまとめて行う画面であるが、ここでは１ｃｈから３２ｃｈまでの入力ｃｈについてパンの設定を行う画面の例を示している。カーソル操作子４０によってカーソル４１を設定したいｃｈまで移動させ、増減操作子５０を操作することにより、カーソル４１の位置するｃｈについてのパンを変更することができる。また、タブ切り換えスイッチ３０を用いて下端のタブ３１を選択することにより、他の入力ｃｈや他のパラメータを設定するためのパラメータ設定画面を表示させることができる。
【００２３】
図５に示す入力ｃｈ設定画面は、選択された１つの入力ｃｈの一部のパラメータを編集する画面であり、ここでは２５番目の入力ｃｈのうちイコライザ関連の設定を行う画面の例を示している。画面例には示していないが、ここでもカーソルを設定したいパラメータまで移動させ、増減操作子５０を操作することにより、カーソルの位置するパラメータの値を変更することができる。
また、図５には割込表示部９１を表示した例を示しているが、割込表示部９１は、現在の表示画面上には表示しないパラメータを一時的に表示する必要が生じた場合に表示するものであり、例えばポップアップウィンドウとして表示させることができる。図５に示した例では、３番目の入力ｃｈについてのパンの設定を表示している。割込表示部９１の表示としては、これ以外にも、例えば図６の（ａ）〜（ｃ）に示すようなものが考えられる。
【００２４】
ここで、この操作パネル１００の特徴である割当スイッチ９０について説明する。この発明の特徴は、増減操作子５０にも入力ｃｈのパラメータのうちいずれか１つのパラメータを割り当て、従来のようにカーソルの位置に表示されているパラメータの値を変化させる機能は残したまま、選択スイッチ７０ｃが操作された状態で増減操作子５０が操作された場合に、その選択スイッチ７０ｃを有するｃｈストリップ７ｎのパラメータのうち増減操作子５０に割り当てられたパラメータの増減を行うことができるようにしたものである。
そして、割当スイッチ９０は、この割り当てを行うためのスイッチであり、この割当スイッチ９０を押下しながら増減操作子５０を操作すると、その操作量に応じて増減操作子５０に割り当てるパラメータの種類を順次変化させることができる。この処理ももちろんＣＰＵ１１５によるものであり、この場合には割当スイッチ９０，増減操作子５０，ＣＰＵ１１５が割当手段として機能する。なお、上述のこの発明の特徴に係る処理においては、ＣＰＵがパラメータ増減手段として機能する。
【００２５】
次に、このようなデジタルミキサにおけるこの発明の特徴に関連する処理についてより詳細に説明する。この処理は、いくつかのイベントに対応した処理で成り立っており、ＣＰＵ１１５が所定のイベントを検出すると、対応する処理を実行する。
まず、図７に示す処理は、ｉ番目の入力ｃｈと対応するｃｈストリップの選択スイッチ７０ｃのオンイベントと対応する処理である。
この処理においては、まずステップＳ１で変数の値を設定する。ＳＯＮは何らかの選択スイッチ７０ｃがＯＮである場合に１にするフラグであり、ＳＣは選択スイッチ７０ｃによって選択中の入力ｃｈの番号を示す変数である。
【００２６】
次に、ステップＳ２で押下された選択スイッチ７０ｃの発光手段を点灯させる。ここで、各選択スイッチ７０ｃは発行ダイオード（ＬＥＤ）等による発光手段を備えており、この発光手段によってスイッチのオン／オフをユーザに示すことができるようにしている。図４にハートマークで示したように、２つの入力ｃｈをペアにすることも行われるが、この場合でも同時に選択できるのは１つだけである。ただし、ペアの一方が選択された場合には、他方の発光手段を点滅させ、そのことを示すとよい。
次に、ステップＳ３で表示器１０に表示している表示画面の種類を確認し、入力ｃｈ設定画面であれば、ステップＳ４でカーソル４１をオンされた選択スイッチ７０ｃに対応するｉチャンネルのパラメータに移動する。このとき、タブ３１の切り換えが必要であれば、これも行う。ステップＳ３でパラメータ設定画面であれば、画面をｉチャンネルのパラメータを編集する画面に変更し、表示内容もｉチャンネルのパラメータに変更する。その他の画面、例えばＭＩＤＩやタイムコード等の設定画面であれば、表示を切り換えることなくそのまま終了する。
【００２７】
図８に示す処理は、ｉ番目の入力ｃｈと対応するｃｈストリップの選択スイッチ７０ｃのオフイベントと対応する処理である。
この処理においては、ステップＳ１１でｉが図７のステップＳ１で設定した変数ＳＣと等しいか否か判断し、等しければＳＯＮを０に設定し、等しくなければそのまま終了する。
ＳＣにはその時点で最後にオンされた選択スイッチ７０ｃに対応するｃｈ番号が設定されているので、この処理により、最後に押下した選択スイッチ７０ｃを離した場合のみＳＯＮを０にすることになる。
【００２８】
図９に示す処理は、選択ｃｈ操作スイッチ群８０のｊ番目のロータリーエンコーダの操作イベントと対応する処理である。
この処理においては、まず変数Δｘに操作子の操作量を設定する。そして、変数ＳＣで指定されるチャンネル、すなわち最後にオンされた選択スイッチ７０ｃと対応するチャンネルについて、操作されたロータリーエンコーダに対応するパラメータをΔｘに応じて変更する。そして、そのパラメータが表示中であればその表示を変更に応じて更新し、表示中でなければそのまま終了する。
すなわち、この処理は、従来の選択ｃｈ操作スイッチ群８０の機能に係る処理である。
【００２９】
図１０に示す処理は、増減操作子５０の操作イベントと対応する処理である。この場合において、ロータリーエンコーダ５１が操作された場合でも増加スイッチ５２あるいは減少スイッチ５３が操作された場合でも、同じ操作イベントとして認識される。ただし、ロータリーエンコーダ５１が操作された場合は、その操作方向に応じた正または負の、その操作速度に応じた大きさの値となり、増加スイッチ５２が操作された場合は正の所定値、減少スイッチ５３が操作された場合は負の所定値となる。なお、増加スイッチ５２、減少スイッチ５３は、押しつづけることにより自動的に増加、減少を繰り返すリピート機能を備えている。
この処理においては、まずステップＳ３１で変数Δｙに増減操作子５０の操作量を設定する。そして、ステップＳ３２で割当スイッチ９０が操作されていれば（ＯＮ状態であれば）ステップＳ３３乃至Ｓ３５で増減操作子５０に対するパラメータの割り当て（アサイン）処理を行う。
【００３０】
すなわち、増減操作子５０に割り当てるパラメータを示す変数ＥＡＰをΔｙの値に応じて変更し、図６（ｃ）に示すようなパラメータ割り当て画面を割込表示し、変数ＣＮＴに所定の待ち時間を設定してタイマを起動し、処理を終了する。この処理、特にステップＳ３３においてＣＰＵ１１５が割当手段として機能する。
この処理により、ユーザは割当スイッチ９０を押下しながら増減操作子５０を操作することにより、パラメータ割り当て画面でカーソルを移動させ、増減操作子５０に割り当てるパラメータを選択することができる。パラメータの選択肢はもちろん図示のものに限られず、カーソルが端に達するとスクロールする。また、ステップＳ３４で既に割込表示がなされている場合には、その割込表示部を書き換えるだけでよい。さらに、ステップＳ３５の処理を行わず、割当スイッチ９０がＯＦＦになった時点でパラメータ割り当て画面を消去するようにしてもよい。また、パラメータ割り当て画面を割り込み表示でない独立の表示画面として用意してもよい。
【００３１】
また、ステップＳ３２で割当スイッチ９０がＯＮでなければ、ステップＳ３６に進む。そしてここで変数ＳＯＮが１であれば、ステップＳ３７で、変数ＳＣで指定されるチャンネルについて、変数ＥＡＰに対応するパラメータをΔｙに応じて変更する。
そして、そのパラメータが表示中であればステップＳ３８からＳ４２に進んで変更に応じて表示を更新し、表示中でなければステップＳ３９以下に進んで変更したパラメータについての設定画面を割込表示し、変数ＣＮＴに所定の待ち時間を設定してタイマを起動し、処理を終了する。この画面は例えば図６（ａ）又は（ｂ）に示すものであり、ｃｈ番号，パラメータの種類，設定内容を表示するものである。（ａ）では３つのＯＮ／ＯＦＦパラメータを表示しているが、増減操作子５０に１度に割り当てることができるのはこのうち１つのみである。
【００３２】
また、ステップＳ３６でＳＯＮが１でなければ、ステップＳ４１以下に進み、カーソル位置に対応したパラメータをΔｙに応じて変更し、これに応じて表示を更新する。
以上の処理が、この発明において最も特徴的な処理であり、ステップＳ３６，Ｓ３７，Ｓ４１において、ＣＰＵ１１５がパラメータ増減手段として機能する。
【００３３】
図１１に示す処理は、タイマに関する割込み処理であり、タイマが起動されている場合に一定時間毎に行う処理である。
この処理においては、ステップＳ５１で変数ＣＮＴを１減少させ、ステップＳ５２でＣＮＴが０になっていれば表示器１０の表示部に表示している割込表示を消去すると共にタイマを停止する。０になっていなければそのまま終了する。
以上の処理により、図１０に示す処理で表示した割込表示部を所定の待ち時間後に消去することができる。
【００３４】
以上のように各イベントに応じて図７乃至図１１のフローチャートに示した処理を行うことにより、カーソル位置に対応したパラメータの増減を行うための操作子として従来から設けられていた増減操作子５０に特定のパラメータを割り当て、選択スイッチ７０ｃと同時にこの増減操作子５０が操作された場合のみ、操作された選択スイッチ７０ｃと対応するｃｈの割り当てたパラメータを編集するための操作子として用いることができる。また、この割り当ても、割当スイッチ９０と増減操作子５０を同時に操作することによって行うことができる。従って、新たに割当スイッチ９０を１つ設けるだけで、増減操作子５０により、任意のパラメータをその都度カーソルで選択することなく編集することができ、ほとんどコストアップを伴わずにデジタルミキサの操作性を大きく向上させることができる。
【００３５】
【発明の効果】
以上説明してきたように、この発明のデジタルミキサによれば、ほとんどコストアップを伴わずに操作性を大きく向上させることができる。
【図面の簡単な説明】
【図１】この発明の実施形態であるデジタルミキサの操作パネルの概略構成を示す図である。
【図２】そのデジタルミキサ全体の概略構成を示すブロック図である。
【図３】図２に示したＤＳＰの構成をより詳細に示すブロック図である。
【図４】パラメータ設定画面の表示例を示す図である。
【図５】入力ｃｈ設定画面の表示例を示す図である。
【図６】割込表示部の表示例を示す図である。
【図７】ｉ番目の入力ｃｈと対応するｃｈストリップの選択スイッチのオンイベントと対応して図２に示したデジタルミキサのＣＰＵが実行する処理を示すフローチャートである。
【図８】同じく、ｉ番目の入力ｃｈと対応するｃｈストリップの選択スイッチのオフイベントと対応する処理を示すフローチャートである。
【図９】同じく、選択ｃｈ操作スイッチ群のｊ番目の操作子の操作イベントと対応する処理を示すフローチャートである。
【図１０】同じく、増減操作子の操作イベントと対応する処理を示すフローチャートである。
【図１１】同じく、タイマが起動されている場合に一定時間毎に行う処理を示すフローチャートである。
【図１２】従来のデジタルミキサの操作パネルの概略構成を示す図である。
【符号の説明】
１０…表示器、２０…画面選択スイッチ、３０…タブ切り換えスイッチ、４０…カーソル操作子、５０…増減操作子、５１…ロータリーエンコーダ、５２…増加スイッチ、５３…減少スイッチ、６０…エンタスイッチ、７０…ｃｈ操作子、７１，７２，…，７ｎ…ｃｈストリップ、７１ａ（７０ａ）…電動フェーダ、７１ｂ（７０ｂ）…オンスイッチ、７１ｃ（７０ｃ）…選択スイッチ、８０…選択ｃｈ操作スイッチ群、９０…割当スイッチ、９１…割込表示部、１００，２００…操作パネル
【図１】
2004289413.tif 000003
【図２】
2004289413.tif 000004
【図３】
2004289413.tif 000005
【図４】
2004289413.tif 000006
【図５】
2004289413.tif 000007
【図６】
2004289413.tif 000008
【図７】
2004289413.tif 000009
【図８】
2004289413.tif 000010
【図９】
2004289413.tif 000011
【図１０】
2004289413.tif 000012
【図１１】
2004289413.tif 000013
【図１２】
2004289413.tif 000014